(57)【要約】【課題】箱に収納されているパチンコ玉を周囲にこぼすことなく簡単に出玉受け皿に移すことができるパチンコ玉の移送具を提供できるようにする。【解決手段】磁石を収納した磁石収納用ケースと、当該磁石収納ケースに収納した磁石を下降させたパチンコ玉吸着位置と、磁石を上昇させたパチンコ玉吸着開放位置とに昇降操作する操作部とを備え、磁石収納用ケースは、磁石ホルダを昇降可能に収納する磁石収納部分と磁石ホルダから立設された昇降操作杆をガイドする操作杆ガイド部分と、操作杆ガイド部分から延出した操作部の装着部分とで形成し、操作杆には磁石ホルダに保持された磁石をパチンコ玉吸着開放位置に上昇付勢する付勢手段を設けるとともに、この付勢手段の上昇付勢力に抗してパチンコ玉吸着位置に押し下げ可能に操作部を前記操作部の装着部分に設けた。【選択図】図１
2009148508.tif 000002
【特許請求の範囲】
【請求項１】
磁石を収納した磁石収納用ケースと、当該磁石収納ケースに収納した磁石を下降させたパチンコ玉吸着位置と、磁石を上昇させたパチンコ玉吸着開放位置とに昇降操作する操作部とを備え、磁石収納用ケースは、磁石ホルダを昇降可能に収納する磁石収納部分と磁石ホルダから立設された昇降操作杆をガイドする操作杆ガイド部分と、操作杆ガイド部分から延出した操作部の装着部分とで形成し、操作杆には磁石ホルダに保持された磁石をパチンコ玉吸着開放位置に上昇付勢する付勢手段を設け、この付勢手段の上昇付勢力に抗してパチンコ玉吸着位置に押し下げ可能に操作部を前記操作部の装着部分に設けるとともに、磁石収納部と操作部の装着部分との間の両側の少なくとも一側部を開放して構成したことを特徴とするパチンコ玉の移送具。
【請求項２】
操作杆ガイドが磁石収納部の一側部に形成され、他側の磁石収納部と操作部の装着部分との間を開放したことを特徴とする請求項１に記載のパチンコ玉の移送具。
【請求項３】
操作杆ガイドが磁石収納部の中央部に形成され、磁石収納部と操作部の装着部分との間の両側を開放したことを特徴とする請求項１に記載のパチンコ玉の移送具。
【発明の詳細な説明】
【技術分野】
【０００１】
本発明は、パチンコホールにおいて、特に遊戯中のパチンコ玉の移送具に関するものである。
【背景技術】
【０００２】
パチンコホールでは、遊戯台（パチンコ台）によって出玉が異なったり、出る遊戯台でも遊戯する人のコンディションや、遊戯台そのものの釘の微妙な変化いわゆる「ゲージのスランプ」等により、入賞が増減し、獲得するパチンコ玉の量が増減することがある。
こうしたパチンコ玉の量の増減に備えて、パチンコ玉の多いとき、あるいは出玉受け皿に溢れてしまうような場合、出玉受け皿から箱に入れ、この箱を床に積み重ねるようにしている。
そして、出玉受け皿にパチンコ玉が少なくなったときは、上記箱のパチンコ玉を出玉受け皿に補給して遊戯を続けるようにしている。
【０００３】
ところが、箱のパチンコ玉を出玉受け皿に補給する場合、箱の中に手を入れてパチンコ玉を掴み、これを出玉受け皿に補給したり、箱にパチンコ玉が少なくなると箱ごと持ち上げて出玉受け皿に移して補給するようにしたりしている。
このような、箱のパチンコ玉を出玉受け皿に補給する方法では、手からパチンコ玉がこぼれ落ちて周囲に飛散したり、箱から出玉受け皿に移すときにもうまく入らず、周囲にこぼれたりしてしまうという問題があった。
【特許文献１】特開平９−５６９１６号公報
【発明の開示】
【発明が解決しようとする課題】
【０００４】
本発明は上記問題点に鑑みて提案されたもので、箱に収納されているパチンコ玉を周囲にこぼすことなく簡単に出玉受け皿に移すことができるパチンコ玉の移送具を提供できるようにすることを目的とするものである。
【課題を解決するための手段】
【０００５】
上記目的を達成するために本発明にかかるパチンコ玉の移送具は、磁石を収納した磁石収納用ケースと、当該磁石収納ケースに収納した磁石を下降させたパチンコ玉吸着位置と、磁石を上昇させたパチンコ玉吸着開放位置とに昇降操作する操作部とを備え、磁石収納用ケースは、磁石ホルダを昇降可能に収納する磁石収納部分と磁石ホルダから立設された昇降操作杆をガイドする操作杆ガイド部分と、操作杆ガイド部分から延出した操作部の装着部分とで形成し、操作杆には磁石ホルダに保持された磁石をパチンコ玉吸着開放位置に上昇付勢する付勢手段を設け、この付勢手段の上昇付勢力に抗してパチンコ玉吸着位置に押し下げ可能に操作部を前記操作部の装着部分に設けるとともに、磁石収納部と操作部の装着部分との間の両側の少なくとも一側部を開放して構成したことを最も主要な特徴とするものである。
【０００６】
本発明にかかるパチンコ玉の移送具では、操作杆ガイドが磁石収納部の一側部に形成され、他側の磁石収納部と操作部の装着部分との間を開放したことや、操作杆ガイドが磁石収納部の中央部に形成され、磁石収納部と操作部の装着部分との間の両側を開放して構成したことも特徴とするものである。
【発明の効果】
【０００７】
本発明にかかるパチンコ玉の移送具は、操作部を操作して磁石収納ケースに収納した磁石をパチンコ玉吸着位置に下降させて箱内にあるパチンコ玉を移送具に吸着させ、この状態で移送具を出玉受け皿に移動させる。
しかる後、磁石をパチンコ玉吸着開放位置にすると、これまで移送具に吸着されていたパチンコ玉は吸着具から離れて出玉受け皿に補給される。
これにより、箱内にあるパチンコ玉をこぼすことなく、簡単に出玉受け皿に移し変えることができる。
【０００８】
本発明にかかるパチンコ玉の移送具の操作杆ガイドを、磁石収納部の一側部に形成し、他側の磁石収納部と操作部の装着部分との間を開放したものでは、手の大小を問わずこのパチンコ玉の移送具がしっくりなじみ使いやすいものにすることができる利点がある。
また、操作杆ガイドが磁石収納部の中央部に形成され、磁石収納部と操作部の装着部分との間の両側を開放する状態に構成したものでは、上記の効果に加えて、両端側のバランスがよくなり一層使いやすいものにすることができる利点がある。
【０００９】
また、本発明にかかるパチンコ玉の移送具が、磁石収納部と操作部の装着部分との間の両側の少なくとも一側部を開放するようにしてあるので、手の大小にかかわらずパチンコ玉の移送具を良好に掴むことができる。いいかえるならば、パチンコ玉の移送具の小型化をはかることができ、遊戯者の邪魔にならず使い勝手のよいものにすることができる利点もある。
【発明を実施するための最良の形態】
【００１０】
以下、本発明のパチンコ玉の移送具にかかる最も好ましい実施の形態を図面に基づいて説明する。
図１はパチンコ玉の移送具の正面図、図はその縦断正面図、図３は図１におけるＡ―Ａ線断面図であって、図中符号１はパチンコ玉の移送具（以下単に移送具という）を全体的に示す。
この移送具１は、磁石ホルダ２に保持された磁石３と、この磁石３を収納する磁石収納用ケース４と、前記磁石ホルダ２を介して磁石３を下降させたパチンコ玉吸着位置と、磁石を上昇させたパチンコ玉吸着開放位置とに昇降操作する操作部５とを備えてなる。
【００１１】
上記磁石収納ケース４は、ＡＢＳ等の衝撃に強い合成樹脂で前後２つ割りのケース片４ａ・４ｂで形成され、下部を下膨れ状に膨らませて内方に磁石３を保持した磁石ホルダ２を収納する磁石収納部分６と、この磁石収納部分６の一側方（図上左方）に後述する磁石ホルダ２の昇降操作杆７をガイドする操作杆ガイド部分８と、この操作杆ガイド部分８から磁石収納部分６の他側方に向けて水平方向に延出させた装着部分（操作部５の装着部分）９とを一連に形成してある。
そして、２つ割りのケース片４ａ・４ｂはタッピングビス等の固定具１０により一体化されるとともに、装着部分９の下面部分には複数の円弧状に凹ませたグリップ部１１が形成されている。
【００１２】
上記磁石３は、短寸の円柱状に形成された複数の磁石素材３ａを鉄等の磁性体材料からなる円盤状部材３ｂを介して互いに吸着させることにより１本の円柱状に形成されている。
この磁石３を保持する磁石ホルダ２は、磁石３の下部を露出させた状態で収納する磁石収納ケース４と、当該磁石収納ケース４の左端寄り部分にビス１３で固定されて立設された昇降操作杆７とからなり、操作杆ガイド部分８の上面を貫通して上方に突出する昇降操作杆７の上端部には磁石ホルダ２を介して磁石３をパチンコ玉吸着開放位置に上昇付勢するバネ（付勢手段）１４が設けられている。
【００１３】
上記装着部９に設けられる操作部５は、合成樹脂で前後２つ割りの操作部材５ａ・５ｂで形成され、その下寄り部が前記磁石収納ケース４の装着部分９の上寄り部分を覆い隠す状態に内面同士をあわせ、タッピングビス等の固定具１５により両操作部材５ａ・５ｂが固定されている。
このとき、図２及び図３に示すように昇降操作杆５の上端部が操作部５の上部の左隅部に形成された取り付け部１６に取り付けられることにより、前記バネ１４の押圧力によって磁石３を収納した磁石ホルダ２が操作部５とともに上昇付勢されるようになっている。
【００１４】
尚、図２中符号１７は操作部５が傾くことにより、昇降し難くなるのを防止する昇降ガイド部であって、上記操作部５の右端寄り部分から前記昇降操作杆７と並行に垂下されたガイドピン１８と、このガイドピン１８を摺動可能に外嵌するガイド孔１９と、操作部５を押し上げるスプリング１２とで構成されている。
また、図中符号２０は、移送具１の紛失防止用の索条２８が連結される索条取り付け孔であって、この索条取り付け孔２０の操作杆ガイド部分８の内側部分にはガイド片２１が突出されており、このガイド片２１とこれに対向する操作杆ガイド部分８の側壁部分及び昇降操作杆７が貫通する貫通孔２２部分とで、昇降操作杆７の昇降が案内されるようになっている。
【００１５】
上記のように構成された本発明の移送具１を使用する手順を次に説明する。
図４は、複数のパチンコ台２３を並設して形成された「島」の一部のパチンコ台２３を示す正面図であって、このパチンコ台２３の前面下部にはパチンコ玉を撃ち出すハンドル２４と、その側方に入賞時に出てくるパチンコ玉を受けるとともにハンドル２４で打ち出されるパチンコ玉を供給する上皿２５と、上皿２５からオーバーフローするパチンコ玉を貯留する下皿２６とを設けてなり、パチンコ台２３の前方には遊戯者が座る椅子２７が設けられている。
そして、本発明の移送具１は、棚３２の部分にパチンコ台２３一台に付き１つずつ鎖等の索条でパチンコ台２３に連結された状態で設けてある。
【００１６】
遊戯者はパチンコ玉を借り受けて上皿２５に移し、ここから送りこまれるパチンコ玉をハンドル２４で弾き、入賞孔２９に入って入賞すると、所定数のパチンコ玉が上皿２５に出てくる。
上皿２５がいっぱいになると入賞時のパチンコ玉は下皿２６に出て、この下皿２６がいっぱいになると、遊戯者は箱３０を下皿２６の下方に置き図外のレバーを操作して下皿２６のパチンコ玉３１を箱３０に移す。
パチンコ玉３１が入れられた箱３０は図４に示すように小さな箱は棚３２部分に置かれ、大きな箱は足元に積み重ねてストックされる。
遊戯中のパチンコ台２３は、遊戯者のコンディションや釘の状態により打ち出すパチンコ玉の量が入賞により出てくる量を上回ると、下皿２６及び上皿２５のパチンコ玉が減ってくる。
【００１７】
斯くして下皿２６及び上皿２５のパチンコ玉が減ってくると、遊戯者は遊戯を継続しながら棚３２部分の箱３０にストックしているパチンコ玉３１を移すのであるが、このときに本発明の移送具１が使用される。
すなわち、遊戯者は右手でハンドルを操作しながら、左手で移送具１を手に取り図１に示すように操作部５の装着部９と磁石収納部分６との隙間に手３３を差し入れて握り、パチンコ玉３１を収納している棚３２部分の箱３０に入れて、バネ１４の押し上げ付勢力に抗して操作部５を押し下げる。
操作部５が押し下げられると、昇降操作杆７を介して磁石ホルダ２が押し下げられるので磁石ホルダ２から露出している磁石３が磁石収納ケース４の底部に下降してパチンコ玉吸着位置となり、その磁力で箱３０内のパチンコ玉３１を図５に示すように磁石収納ケース４の底部に吸着させる。
【００１８】
この磁石収納ケース４の底部にパチンコ玉３１を吸着させた状態で移送具１を箱３０から上皿２５に運んだ後、操作部５を握っている手３３を緩めると、操作部５がバネ１４の押し上げ付勢力で上昇する。
こうして操作部５が上昇すると、磁石３が図２のパチンコ玉吸着開放位置に上昇し、パチンコ玉３１を吸着させた磁石収納ケース４の底部の吸着力が低下したり無くなったりするので、磁石収納ケース４の底部に吸着していたパチンコ玉３１は上皿２５に開放されて供給される。
【００１９】
尚、上記実施の形態では、操作杆ガイド部分８を図上左方に設けるようにしてあるが、この操作杆ガイド部分８は中央部に設けて「エ」の字型にすることもできる。
こうした場合には上記実施の形態の昇降ガイド部１７を省略することができる。
また、上記実施の形態では、磁石３を、短寸の円柱状に形成された複数の磁石素材３ａを鉄等の磁性体材料からなる円盤状部材３ｂを介して互いに吸着させることにより１本の円柱状に形成するようにしてあるが、これを１本の磁石にすることができるのは勿論である。
【図面の簡単な説明】
【００２０】
【図１】は本発明にかかる移送具の正面図である。
【図２】は本発明にかかる移送具の縦断正面図である。
【図３】は図１のＡ―Ａ線断面図である。
【図４】は本発明にかかる移送具の使用状態を示す正面図である。
【図５】は本発明にかかる移送具でパチンコ玉を吸着した使用状態の縦断正面図である。
【符号の説明】
【００２１】
１・・・移送具
２・・・磁石ホルダ
３・・・磁石
４・・・磁石収納ケース
５・・・操作部
６・・・磁石収納部分
７・・・昇降操作杆
８・・・操作杆ガイド部分
９・・・操作部の装着部分
２３・・・パチンコ台
３０・・・箱
３１・・・パチンコ玉
【図１】
2009148508.tif 000003
【図２】
2009148508.tif 000004
【図３】
2009148508.tif 000005
【図４】
2009148508.tif 000006
【図５】
2009148508.tif 000007